(57)【特許請求の範囲】
【請求項１】
複数の放送局と、著作物コンテンツ生成部と、著作物コンテンツモニタリング部と、コード生成部とをネットワークを介して接続した著作物コンテンツモニタリングシステムにおいて、
前記コード生成部は、
前記コンテンツ生成部から送信された著作物の属性情報を元に前記著作物を特定する識別コードならびに当該識別コードに対応する電子透かしコードを発行する手段と、当該発行した識別コードならびに電子透かしコードを前記著作物コンテンツモニタリング部に送信する手段とを有しており、
前記著作物コンテンツ生成部は、
著作物と、
当該著作物の属性情報と、
前記コード生成部に対して、前記著作物の属性情報を送信し、前記コード生成部にて発行された前記著作物を識別するための識別コードならびに電子透かしコードを埋め込み、対応する著作物コンテンツにエンコードし、著作物コンテンツを生成する手段を有しており、
前記放送局は、
前記著作物コンテンツ生成部にて生成された著作物コンテンツに対して、番組コンテンツかコマーシャルコンテンツかの別を登録する番組マスタファイルを作成し、前記著作物コンテンツモニタリング部に送信する手段と、
前記番組コンテンツとコマーシャルコンテンツを順番に組み合わせて放送コンテンツを生成する放送コンテンツ生成部と、
この放送コンテンツ生成部にて生成した放送コンテンツを放送波を介して受信装置と前記著作物コンテンツモニタリング部に配信する手段とを有しており、
前記著作物コンテンツモニタリング部は、
前記コード生成部から受信した複数の著作物コンテンツ各々の識別コードと電子透かしコードと属性情報を含む著作物管理データベースと、
予め番組コンテンツかコマーシャルコンテンツかを登録した番組マスタファイルと、
前記番組コンテンツモニタリング用のデータベースと、
前記コマーシャルコンテンツモニタリング用のデータベースとを有しており、
前記放送局から前記放送波を介して配信された放送コンテンツをモニタリングし、前記番組マスタファイルを元に、番組コンテンツかコマーシャルコンテンツかを判断し、
番組コンテンツの場合は、番組コンテンツモニタリングデータベースに前記著作物の識別コードと電子透かしコードと属性情報を蓄積し、コマーシャルコンテンツの場合は、コマーシャルコンテンツモニタリングデータベースに
前記著作物の識別コードと電子透かしコードと属性情報を蓄積する手段と、
当該蓄積した情報をもとに、番組コンテンツとコマーシャルコンテンツ毎に著作物コンテンツの使用状況を算出する手段を有していることを特徴とする著作物コンテンツモニタリングシステム。
【請求項２】
複数の放送局と、著作物コンテンツ生成部と、著作物コンテンツモニタリング部とをネットワークを介して接続した著作物コンテンツモニタリングシステムにおいて、
前記著作物コンテンツ生成部は、
著作物と、
当該著作物の属性情報と、
前記著作物コンテンツモニタリング部に対して、前記著作物と前記著作物の属性情報を送信し、著作物コンテンツモニタリングを依頼する手段を有しており、
前記放送局は、
前記著作物コンテンツ生成部にて生成された著作物コンテンツに対して、番組コンテンツかコマーシャルコンテンツかの別を登録する番組マスタファイルを作成し、前記著作物コンテンツモニタリング部に送信する手段と、
前記番組コンテンツとコマーシャルコンテンツを順番に組み合わせて放送コンテンツを生成する放送コンテンツ生成部と、
この放送コンテンツ生成部にて生成した放送コンテンツを放送波を介して受信装置と前記著作物コンテンツモニタリング部に配信する手段とを有しており、
前記著作物コンテンツモニタリング部は、
前記著作物コンテンツ生成部から送付された前記著作物の属性情報をもとに前記著作物を特定する識別コードを生成する手段と、
前記著作物コンテンツ生成部から送信された前記著作物の特徴部分を抽出した認識パターンコードを生成する手段と、
前記生成した識別コードに対応する認識パターンコードと前記属性情報とを格納する著作物管理データベースと、
予め番組コンテンツかコマーシャルコンテンツかを登録した番組マスタファイルと、
前記番組コンテンツモニタリング用のデータベースと、
前記コマーシャルコンテンツモニタリング用のデータベースとを有しており、
前記放送局から前記放送波を介して配信された放送コンテンツをモニタリングし、前記番組マスタファイルを元に、番組コンテンツかコマーシャルコンテンツかを判断し、番組コンテンツの場合は、番組コンテンツモニタリングデータベースに前記著作物の識別コードと認識パターンコードと属性情報を蓄積し、コマーシャルコンテンツの場合は、コマーシャルコンテンツモニタリングデータベースに前記著作物の識別コードと認識パターンコードと属性情報を蓄積する手段と、
当該蓄積した情報をもとに、番組コンテンツとコマーシャルコンテンツ毎に著作物コンテンツの使用状況を算出する手段を有していることを特徴とする著作物コンテンツモニタリングシステム。
【請求項３】
請求項１又は２記載の著作物コンテンツモニタリングシステムにおいて、更に、複数の受信部をネットワークを介して接続し、
前記受信部は、
前記放送局から前記放送波を介して受信した当該放送局情報、視聴時間を含む視聴情報を蓄積するリアルタイム視聴用のコンテンツ蓄積手段とを有しており、
定期的もしくは、前記著作物コンテンツモニタリング部からの要求に基づき、前記蓄積した視聴情報を前記著作物モニタリング部に送信する手段を有しており、
前記著作物コンテンツモニタリング部は、
前記受信部から受信した前記視聴情報をもとに前記著作物コンテンツの使用状況に対応する各放送コンテンツの視聴状況をさらに算出する手段を有していることを特徴とする著作物コンテンツモニタリングシステム。
【請求項４】
請求項３の著作物コンテンツモニタリングシステムにおいて、
前記受信部は、
蓄積が開始された場合、対応する放送局情報、蓄積開始日時と所定間隔毎にタイムインデックスデータを挿入し、当該蓄積が終了した際に、対応する放送局情報、蓄積終了日時を保存する蓄積視聴用のコンテンツ蓄積手段とを有しており、
前記蓄積視聴用のコンテンツの再生が開始された場合、再生が開始された放送局情報と、前記タイムインデックスデータとを蓄積視聴用のコンテンツ蓄積手段に格納し、定期的もしくは、前記著作物コンテンツモニタリング部からの要求に基づき、前記蓄積した視聴情報を前記著作物モニタリング部に送信し、
前記著作物コンテンツモニタリング部は、
前記受信部から受信した前記蓄積視聴用の視聴情報をもとに、前記著作物コンテンツの使用状況に対応する各放送コンテンツの視聴状況をさらに算出することを特徴とする著作物コンテンツモニタリングシステム。
【請求項５】
請求項４の著作物コンテンツモニタリングシステムにおいて、
前記受信部は、
前記リアルタイム視聴用のコンテンツ出力装置の電源ON・OFFを監視手段とを更に有しており、
蓄積が開始された場合、対応する放送局情報、蓄積開始日時と所定間隔毎にタイムインデックスデータを挿入し、当該蓄積が終了した際に、対応する放送局情報、蓄積終了日時を保存し、
前記監視手段による電源ON・OFF情報を保存する蓄積視聴用のコンテンツ蓄積手段とを有しており、
前記リアルタイム視聴用のコンテンツ出力装置の電源がONの場合に、蓄積が開始された放送局情報と、リアルタイム視聴する放送局情報を比較し、一致した場合に、同時視聴であると判断する手段と、
当該蓄積視聴用のコンテンツの再生が開始された場合、再生が開始された放送局情報と、前記タイムインデックスデータと前記同時視聴有無情報を前記蓄積視聴用のコンテンツ蓄積手段に格納し、
定期的もしくは前記著作物コンテンツモニタリング部からの要求に基づき、前記蓄積した視聴情報を前記著作物コンテンツモニタリング部に送信することを特徴とする著作物コンテンツモニタリングシステム。
【請求項６】
コンピュータを、
放送局から放送波を介して配信された放送コンテンツをモニタリングし、コンピュータに格納され予め番組コンテンツかコマーシャルコンテンツかを登録した番組マスタファイルに基づいて番組コンテンツかコマーシャルコンテンツかを判断し、番組コンテンツの場合には、コンピュータに格納された複数の著作物コンテンツ各々の識別コードと電子透かしコードと属性情報を含む著作物管理データベースから読み出した当該番組コンテンツを示す前記著作物コンテンツの識別コードと電子透かしコードと属性情報を、コンピュータに格納される番組コンテンツモニタリング用のデータベースに蓄積する一方、コマーシャルコンテンツの場合には、前記著作物管理データベースから読み出した当該コマーシャルコンテンツを示す前記著作物コンテンツの識別コードと電子透かしコードと属性情報をコンピュータに格納されるコマーシャルコンテンツモニタリング用のデータベースに蓄積する手段と、
当該蓄積した情報に基づいて、番組コンテンツとコマーシャルコンテンツ毎に著作物コンテンツの使用状況を算出する手段と、を有する著作物コンテンツモニタリング手段として機能させるプログラムであることを特徴とする著作物コンテンツモニタリングプログラム。
【請求項７】
コンピュータを、
著作物コンテンツ生成部から送付された著作物の属性情報に基づいて前記著作物を特定する識別コードを生成する手段と、
前記著作物コンテンツ生成部から送信された前記著作物の特徴部分を抽出した認識パターンコードを生成する手段と、
前記放送局から前記放送波を介して配信された放送コンテンツをモニタリングし、コンピュータに格納され、予め番組コンテンツかコマーシャルコンテンツかを登録した番組マスタファイルに基づいて、番組コンテンツかコマーシャルコンテンツかを判断し、番組コンテンツの場合には、コンピュータに格納され、前記識別コード生成手段によって生成された識別コードに対応する認識パターンコードと前記属性情報とを格納した著作物管理データベースから当該番組コンテンツを示す前記著作物の識別コードと認識パターンコードと属性情報を、コンピュータに格納される番組コンテンツモニタリング用のデータベースに蓄積する一方、コマーシャルコンテンツの場合には、前記著作物管理データベースから当該コマーシャルコンテンツを示す前記著作物の識別コードと認識パターンコードと属性情報を、コンピュータに格納されるコマーシャルコンテンツモニタリング用のデータベースに蓄積する手段と、
当該蓄積した情報に基づいて、番組コンテンツとコマーシャルコンテンツ毎に著作物コンテンツの使用状況を算出する手段と、を有する著作物コンテンツモニタリング手段として機能させるプログラムであることを特徴とする著作物コンテンツモニタリングプログラム。
【発明の詳細な説明】
【０００１】
【発明の属する技術分野】
本発明は、放送局等の著作物コンテンツ使用者から配信された放送コンテンツに含まれる、楽曲、画像、アニメーション、コンピュータプログラム等の著作物コンテンツ（思想、または感情を創作的に表現したものであって、文芸、学術、美術または音楽の範囲に属するものであり、アナログ／デジタルデータとして流通可能なものをいう）の配信状況をモニタリングするための著作物コンテンツモニタリングシステムおよび著作物コンテンツモニタリングプログラムに関する。
【０００２】
【従来の技術】
放送コンテンツ｛歌番組、ドラマ等の番組コンテンツ、コマーシャルメッセージコンテンツ（ＣＭコンテンツ）等｝において著作物コンテンツを使用する場合、その著作物コンテンツ使用料は、放送局等の著作物コンテンツ使用者側からの自己申告に基づいて、著作権ビジネス企業等に支払われているのが実情である。
【０００３】
ここで、著作権ビジネス企業とは、著作物コンテンツに対応する著作権者や著作物コンテンツを保有するコンテンツホルダ（レコード会社や制作プロダクション等）から著作権の管理を委託された企業であり、文化庁の許認可により設立が可能である。例えば、音楽著作権においては、その音楽著作権を管理するＪＡＳＲＡＣがある。
【０００４】
すなわち、著作物ビジネス企業は、著作権者やコンテンツホルダからの委託を受けて、その著作物コンテンツの使用許諾に関する契約を著作物コンテンツ使用者と結び、著作物コンテンツ使用者から支払われた著作物コンテンツ使用料を受取り、その使用料を著作権者やコンテンツホルダに分配するようになっている。
【０００５】
一方、近年、衛星方法（ＢＳ放送、ＣＳ放送）、ケーブルＴＶ（ＣＡＴＶ）等の一層の普及や、デジタル技術の進歩により、放送の多チャンネル化が急速に進展しており、この放送の多チャンネル化に伴って、各チャンネルで放送される放送コンテンツにおいて利用される著作物コンテンツの量も大幅に拡大している。
【０００６】
【発明が解決しようとする課題】
平成１２年に著作権管理事業法が成立し、著作権管理事業は、文化庁の許認可制から登録制に移行されることになった。
【０００７】
すなわち、登録制という簡単な手続きで著作権管理ビジネスを行なうことが可能になり、多数の民間企業の参入が予測されている。
【０００８】
このように、多数の民間企業が著作権管理事業（ビジネス）に参入した場合、その事業者は、自らが管理している著作物コンテンツの使用状況を正確に把握したいという強い要望を持つと推測される。
【０００９】
しかしながら、従来では、放送における著作物コンテンツの正確な使用状況、すなわち、放送波を用いた著作物コンテンツの正確な配信状況をモニタリングする方法は開発されておらず、現状のままでは、現在、許認可されている著作権管理事業者、あるいは今後参入する著作権管理事業者の要望に応えることが難しいことが予測される。
【００１０】
本発明は上述した事情に鑑みてなされたもので、放送局等の著作物コンテンツ使用者から配信される著作物コンテンツの配信状況を正確にモニタリングすることを可能にして、著作権管理事業者の著作権管理事業を支援することをその第１の目的とする。
【００１１】
また、本発明は、第１の目的に加えて、著作物コンテンツの配信状況と、視聴者／聴取者（オーディエンス）側における著作物コンテンツの視聴／聴取率等の統計情報とを組合せることにより、付加価値の高い情報を生成して著作権管理事業者やコンテンツホルダ等に提供することにより、著作権管理事業者やコンテンツホルダを支援することをその第２の目的とする。
【００１２】
【課題を解決するための手段】
上述した目的を達成するための本発明によれば、請求項１に記載したように、複数の放送局と、著作物コンテンツ生成部と、著作物コンテンツモニタリング部と、コード生成部とをネットワークを介して接続した著作物コンテンツモニタリングシステムにおいて、前記コード生成部は、前記コンテンツ生成部から送信された著作物の属性情報を元に前記著作物を特定する識別コードならびに当該識別コードに対応する電子透かしコードを発行する手段と、当該発行した識別コードならびに電子透かしコードを前記著作物コンテンツモニタリング部に送信する手段とを有しており、前記著作物コンテンツ生成部は、著作物と、当該著作物の属性情報と、前記コード生成部に対して、前記著作物の属性情報を送信し、前記コード生成部にて発行された前記著作物を識別するための識別コードならびに電子透かしコードを埋め込み、対応する著作物コンテンツにエンコードし、著作物コンテンツを生成する手段を有しており、前記放送局は、前記著作物コンテンツ生成部にて生成された著作物コンテンツに対して、番組コンテンツかコマーシャルコンテンツかの別を登録する番組マスタファイルを作成し、前記著作物コンテンツモニタリング部に送信する手段と、前記番組コンテンツとコマーシャルコンテンツを順番に組み合わせて放送コンテンツを生成する放送コンテンツ生成部と、この放送コンテンツ生成部にて生成した放送コンテンツを放送波を介して受信装置と前記著作物コンテンツモニタリング部に配信する手段とを有しており、前記著作物コンテンツモニタリング部は、前記コード生成部から受信した複数の著作物コンテンツ各々の識別コードと電子透かしコードと属性情報を含む著作物管理データベースと、予め番組コンテンツかコマーシャルコンテンツかを登録した番組マスタファイルと、前記番組コンテンツモニタリング用のデータベースと、前記コマーシャルコンテンツモニタリング用のデータベースとを有しており、前記放送局から前記放送波を介して配信された放送コンテンツをモニタリングし、前記番組マスタファイルを元に、番組コンテンツかコマーシャルコンテンツかを判断し、番組コンテンツの場合は、番組コンテンツモニタリングデータベースに前記著作物の識別コードと電子透かしコードと属性情報を蓄積し、コマーシャルコンテンツの場合は、コマーシャルコンテンツモニタリングデータベースに前記著作物の識別コードと電子透かしコードと属性情報を蓄積する手段と、当該蓄積した情報をもとに、番組コンテンツとコマーシャルコンテンツ毎に著作物コンテンツの使用状況を算出する手段を有していることを特徴とする。
【００１３】
上述した目的を達成するための本発明によれば、請求項２に記載したように、複数の放送局と、著作物コンテンツ生成部と、著作物コンテンツモニタリング部とをネットワークを介して接続した著作物コンテンツモニタリングシステムにおいて、前記著作物コンテンツ生成部は、著作物と、当該著作物の属性情報と、前記著作物コンテンツモニタリング部に対して、前記著作物と前記著作物の属性情報を送信し、著作物コンテンツモニタリングを依頼する手段を有しており、前記放送局は、前記著作物コンテンツ生成部にて生成された著作物コンテンツに対して、番組コンテンツかコマーシャルコンテンツかの別を登録する番組マスタファイルを作成し、前記著作物コンテンツモニタリング部に送信する手段と、前記番組コンテンツとコマーシャルコンテンツを順番に組み合わせて放送コンテンツを生成する放送コンテンツ生成部と、この放送コンテンツ生成部にて生成した放送コンテンツを放送波を介して受信装置と前記著作物コンテンツモニタリング部に配信する手段とを有しており、前記著作物コンテンツモニタリング部は、前記著作物コンテンツ生成部から送付された前記著作物の属性情報をもとに前記著作物を特定する識別コードを生成する手段と、前記著作物コンテンツ生成部から送信された前記著作物の特徴部分を抽出した認識パターンコードを生成する手段と、前記生成した識別コードに対応する認識パターンコードと前記属性情報とを格納する著作物管理データベースと、予め番組コンテンツかコマーシャルコンテンツかを登録した番組マスタファイルと、前記番組コンテンツモニタリング用のデータベースと、前記コマーシャルコンテンツモニタリング用のデータベースとを有しており、前記放送局から前記放送波を介して配信された放送コンテンツをモニタリングし、前記番組マスタファイルを元に、番組コンテンツかコマーシャルコンテンツかを判断し、番組コンテンツの場合は、番組コンテンツモニタリングデータベースに前記著作物の識別コードと認識パターンコードと属性情報を蓄積し、コマーシャルコンテンツの場合は、コマーシャルコンテンツモニタリングデータベースに前記著作物の識別コードと認識パターンコードと属性情報を蓄積する手段と、当該蓄積した情報をもとに、番組コンテンツとコマーシャルコンテンツ毎に著作物コンテンツの使用状況を算出する手段を有していることを特徴とする。
【００１４】
上述した目的を達成するための本発明によれば、請求項６に記載したように、コンピュータを、放送局から放送波を介して配信された放送コンテンツをモニタリングし、コンピュータに格納され予め番組コンテンツかコマーシャルコンテンツかを登録した番組マスタファイルに基づいて番組コンテンツかコマーシャルコンテンツかを判断し、番組コンテンツの場合には、コンピュータに格納された複数の著作物コンテンツ各々の識別コードと電子透かしコードと属性情報を含む著作物管理データベースから読み出した当該番組コンテンツを示す前記著作物コンテンツの識別コードと電子透かしコードと属性情報を、コンピュータに格納される番組コンテンツモニタリング用のデータベースに蓄積する一方、コマーシャルコンテンツの場合には、前記著作物管理データベースから読み出した当該コマーシャルコンテンツを示す前記著作物コンテンツの識別コードと電子透かしコードと属性情報をコンピュータに格納されるコマーシャルコンテンツモニタリング用のデータベースに蓄積する手段と、当該蓄積した情報に基づいて、番組コンテンツとコマーシャルコンテンツ毎に著作物コンテンツの使用状況を算出する手段と、を有する著作物コンテンツモニタリング手段として機能させるプログラムであることを特徴とする。
【００１５】
上述した目的を達成するための本発明によれば、請求項１６に記載したように、複数の放送局から予め定められた順序で配信される複数の放送コンテンツを受信する放送コンテンツ受信装置を有し、この放送コンテンツ受信装置は、互いに通信可能に接続されたリアルタイム視聴／聴取用および蓄積用の少なくとも２系統のチューナ部、コンテンツ蓄積用の蓄積部、コンピュータ、メモリおよび視聴／聴取用コンテンツ出力装置を備えた際の前記コンピュータが実行可能なプログラムであって、前記コンピュータを、前記放送コンテンツ受信装置の蓄積用のチューナ部により受信された所定の放送チャンネルの放送コンテンツの蓄積部への蓄積が開始された際に、前記蓄積用のチューナ部の蓄積チャンネルおよび蓄積開始日時を、蓄積が開始された放送コンテンツに挿入する手段と、前記蓄積されている放送コンテンツに対して所定間隔毎にタイムインデックスデータを挿入する手段と、前記放送コンテンツ受信装置により受信された所定の放送チャンネルの放送コンテンツの蓄積が終了した際に、蓄積終了時間を、前記蓄積チャンネルおよび蓄積開始日時に対応付けることにより、前記放送コンテンツ受信装置の放送コンテンツ蓄積率を測定するための情報を作成する手段として機能させる。
【００１６】
【発明の実施の形態】
本発明の著作物コンテンツモニタリングシステムおよび著作物コンテンツモニタリングプログラムに係る実施の形態を添付図面を参照して説明する。
【００１７】
図１は、本発明の実施の形態に係る著作物コンテンツモニタリング方法およびシステムに基づくビジネスモデルの概念を示す図である。
【００１８】
上述した目的を達成するための本発明によれば、請求項７に記載したように、コンピュータを、著作物コンテンツ生成部から送付された著作物の属性情報に基づいて前記著作物を特定する識別コードを生成する手段と、前記著作物コンテンツ生成部から送信された前記著作物の特徴部分を抽出した認識パターンコードを生成する手段と、前記放送局から前記放送波を介して配信された放送コンテンツをモニタリングし、コンピュータに格納され、予め番組コンテンツかコマーシャルコンテンツかを登録した番組マスタファイルに基づいて、番組コンテンツかコマーシャルコンテンツかを判断し、番組コンテンツの場合には、コンピュータに格納され、前記識別コード生成手段によって生成された識別コードに対応する認識パターンコードと前記属性情報とを格納した著作物管理データベースから当該番組コンテンツを示す前記著作物の識別コードと認識パターンコードと属性情報を、コンピュータに格納される番組コンテンツモニタリング用のデータベースに蓄積する一方、コマーシャルコンテンツの場合には、前記著作物管理データベースから当該コマーシャルコンテンツを示す前記著作物の識別コードと認識パターンコードと属性情報を、コンピュータに格納されるコマーシャルコンテンツモニタリング用のデータベースに蓄積する手段と、当該蓄積した情報に基づいて、番組コンテンツとコマーシャルコンテンツ毎に著作物コンテンツの使用状況を算出する手段と、を有する著作物コンテンツモニタリング手段として機能させるプログラムであることを特徴とする。
【００１９】
特に、本実施形態において、コンテンツホルダ１は、著作物コンテンツ生成するにあたり、生成したい著作物コンテンツの権利関係を含むその属性を表す情報（属性情報）をコードセンタ２に提供し、コードセンタ２から発行・提供された、その属性情報に対応する識別コードおよびこの電子透かしコード｛ＷＭ（Ｗａｔｅｒ  Ｍａｒｋ）コード｝を受け取り、著作物コンテンツ生成時｛例えば、楽曲コンテンツを含むＣＤ（コンパクトディスク）生成時であれば、ＣＤプレス時｝において、対応する著作物コンテンツにエンコードする（埋め込む）ようになっている。
【００２０】
一方、符号３は、著作権ビジネス事業者を示しており、この著作権ビジネス事業者３は、コンテンツホルダ１とコンテンツ著作権管理委託契約を締結することにより、コンテンツホルダ１が所有する著作権・著作物コンテンツの管理や著作物コンテンツの不正使用探索等の業務を行なうようになっている。
【００２１】
また、符号４は、著作物コンテンツ使用者（ＴＶ局、ラジオ局等の放送局）を示しており、この著作物コンテンツ使用者である複数の放送局４は、著作権ビジネス事業者３と著作物コンテンツの使用許諾契約を締結することにより、その著作権ビジネス事業者３から提供された使用許諾された著作物コンテンツを受け取り、その著作物コンテンツを含む放送コンテンツ｛番組コンテンツ、広告代理店ＡＤ（クライアント）から出稿された広告に基づくコマーシャルコンテンツ｝を、対応する周波数（放送チャンネル）の放送波を伝送媒体として、衛星（通信・放送衛星）、地上波中継局、ＣＡＴＶ中継局等を介して配信するようになっている。
【００２２】
そして、放送局４は、著作物コンテンツの使用料を著作権ビジネス事業者３に支払い、著作権ビジネス事業者３は、支払われた使用料をコンテンツホルダ１に分配するようになっており、コンテンツホルダ１は、対応する著作者Ｃに対して分配された使用料をさらに分配するようになっている。
【００２３】
一方、本実施形態に係る著作物コンテンツモニタリング方法およびシステムに基づくビジネスモデルの中心として、符号５は著作物コンテンツモニタリング事業者を示しており、また、符号６は、放送局４から配信された放送コンテンツを受信して視聴／聴取するとともに、その放送コンテンツに含まれる著作物コンテンツを利用可能な利用者（視聴者／聴取者）Ｕの放送コンテンツ受信装置（例えば、コンテンツを蓄積記憶できる蓄積型ＴＶやラジオ）を示している。
【００２４】
この著作物コンテンツモニタリング事業者５は、コンピュータを用いることにより、複数の著作物コンテンツの識別コード、ＷＭコード、認識パターンとそれぞれの著作物コンテンツの属性情報とを対応付けてデータベース（ＤＢ）１０に記憶する処理と、放送局４から配信された放送コンテンツをモニタリングしてデータベース１０に記憶された識別コード、ＷＭコードおよび認識パターンとマッチングする著作物コンテンツを抽出する処理Ｆ１と、この著作物コンテンツを含む放送コンテンツが番組コンテンツおよびＣＭコンテンツの内のどちらに含まれていたのかを番組マスタファイル１１を参照して選定する処理Ｆ２と、選定結果に対応するＤＢ（番組内コンテンツモニタリングＤＢ１２／ＣＭ内コンテンツモニタリングＤＢ１３）に対して著作物コンテンツの属性情報を蓄積記憶する処理Ｆ３と、利用者Ｕが放送コンテンツの視聴／聴取率モニタ世帯Ｍである場合に、その放送コンテンツ受信装置６から提供された放送コンテンツの視聴／聴取率等、放送コンテンツの蓄積・再生情報等のオーディエンス統計情報ファイル１４（例えば、視聴／聴取率ファイル１５、蓄積・再生ファイル１６）とモニタリングされた著作物コンテンツの属性情報とを分析する処理Ｆ４と、各クライアント（コンテンツホルダ１、著作権ビジネス事業者３、広告代理店ＡＤ、著作物コンテンツ使用者４等、予め契約が締結された各クライアント）から予め分析調査を委託された著作物コンテンツに対する処理Ｆ４に基づく分析結果を、その各クライアントの情報提供先アドレス（クライアントＤＢ１７に記憶されている）各クライアントの情報提供先アドレス）に対して、例えば調査情報として提供（送信）する処理Ｆ５とを備えており、この結果、著作物コンテンツモニタリング事業者５は、各クライアント（コンテンツホルダ１、著作権ビジネス事業者３、広告代理店ＡＤ、著作物コンテンツ使用者４等）から、調査情報提供に対する対価としての調査情報料を受取ることができる。
【００２５】
図２は、図１に示した著作物コンテンツモニタリングに基づくビジネス手法を具体的に実現した著作物コンテンツモニタリングシステム２０のシステム構成を示す図である。
【００２６】
図２に示すように、著作物コンテンツモニタリングシステム２０は、コードセンタ２に設置されたコンピュータシステム２１と、著作権ビジネス事業者３から使用許諾された著作物コンテンツを含む放送コンテンツ（番組コンテンツおよびＣＭコンテンツ）を、自局に対応する放送チャンネルの放送波を伝送媒体として衛星（通信・放送衛星）、地上波中継局、ＣＡＴＶ中継局等を介して配信する複数の放送局４ａ１〜４ａｎと、この各放送局４ａ１〜４ａｎから配信される各放送チャンネルの放送コンテンツを受信し、その各放送チャンネルの放送コンテンツにおいて使用されている著作物コンテンツをモニタリングするための著作物コンテンツモニタリング用コンピュータシステム２２とを備えている。
【００２７】
また、著作物コンテンツモニタリングシステム２０は、上述した放送コンテンツ受信装置６と、コンテンツホルダ１の居所、事業所等に設置されたコンピュータシステム２３と、著作権ビジネス事業者３の居所や事業所等に設置されたコンピュータシステム２４と、広告代理店ＡＤに設置されたコンピュータシステム２５と、コンピュータシステム２１、各放送局４ａ１〜４ａｎ、著作物コンテンツモニタリング用コンピュータシステム２２、放送コンテンツ受信装置６、コンピュータシステム２３〜２５は、有線／無線電話網、ＩＳＤＮ、ＡＤＳＬ等の公衆回線、専用線、インターネット等のオープンネットワーク等の通信回線３０を介して互いに通信可能に接続されている。
【００２８】
各放送局４ａ１〜４ａｎは、図２に示すように、著作権ビジネス事業者３から使用許諾を受けた著作物コンテンツおよび各種マルティメディア素材を用いて、圧縮符号化・多重化処理を実行することにより番組コンテンツを制作・編集するとともに、上記著作物コンテンツ、広告代理店ＡＤから出稿された広告素材および各種マルティメディア素材を用いて、圧縮符号化・多重化処理を実行することによりＣＭコンテンツを制作・編集し、制作・編集した放送コンテンツ（番組コンテンツ、ＣＭコンテンツ）を、予め定められた順序（プログラム）に従って、自局に対応する放送チャンネルの放送波を伝送媒体として変調し、送信アンテナ３１ａ１〜３１ａｎを介して配信する放送システム（放送用コンピュータシステム）３２ａ１〜３２ａｎを備えており、この放送システム３２ａ１〜３２ａｎは、通信回線３０との接続を確立した状態、あるいは常時接続状態において、その通信回線３０を介してデータ通信可能な通信インタフェースを内蔵している。
【００２９】
コードセンタ２のコンピュータシステム２１は、処理プログラムを記憶するメモリを有するコンピュータ３３と、このコンピュータ３３の通信回線３０に対する接続を確立した状態、あるいは常時接続状態において、通信回線３０を介してデータ通信可能な通信インタフェース３４とを備えている。
【００３０】
コードセンタ２のコンピュータ３３のメモリには、予め著作物コンテンツモニタリング用コンピュータシステム２２からオンラインあるいはオフラインで提供されたＷＭコード発行のノウハウを表すデータ（ナレッジデータ）が蓄積されており、コンピュータ３３は、そのＷＭコード発行用のナレッジデータ、およびコンテンツホルダ１からコンピュータシステム２３を介したオンライン、あるいはオフラインにより送られた、著作物コンテンツの属性情報を含むその著作物コンテンツに対するコード発行依頼（申込）に基づいて、その著作物コンテンツをユニークに識別できる識別コードおよびこの識別コードに対応するＷＭコードをそれぞれ発行し、発行した識別コードおよびＷＭコードをコンテンツホルダ１にオンラインまたはオフラインで提供する機能を有している。
【００３１】
ここで、“著作物コンテンツの属性情報”とは、著作物コンテンツの権利関係を含むそのコンテンツ自体の属性を表す情報であり、例えば、著作物コンテンツとして楽曲コンテンツの場合には、その楽曲コンテンツの楽曲名、そのコンテンツの著作者、そのコンテンツに関連する著作権等の権利者（作詞者、作曲者、編曲者、出版社、演奏者等）を表す情報が楽曲コンテンツの属性情報である。
【００３２】
また、コンピュータ３３は、発行した識別コードを対応する著作物コンテンツの属性情報に関連付けて識別コードファイル３５を作成し、さらに、発行したＷＭコードを対応する識別コードに関連付けてＷＭコードファイル３６を作成し、作成した識別コードファイル３５およびＷＭコードファイル３６をデータベース３７に蓄積記憶するようになっている。
【００３３】
図３は、例えば、著作物コンテンツとして、楽曲コンテンツに対応する識別コードファイル３３のファイル構造を示す図であり、各楽曲コンテンツ毎にユニークな識別コード（楽曲コンテンツの場合は楽曲コード）とその楽曲コンテンツに対応する属性情報（楽曲名、副題、著作者・権利者、演奏者を表す情報）とが互いに対応付けられている。
【００３４】
図４は、例えば、著作物コンテンツとして、楽曲コンテンツに対応するＷＭコードファイル３４のファイル構造を示す図であり、各楽曲コンテンツの楽曲コードおよび属性情報の一部（楽曲名）とユニークなＷＭコードとが互いに対応付けられている。
【００３５】
一方、著作物コンテンツモニタリング用コンピュータシステム（以下、単にコンピュータシステムとする）２２は、各放送局４ａ１〜４ａｎの放送システム３２ａ１〜３２ａｎから配信されてきた各放送チャンネルの放送コンテンツを受信アンテナ４０ａ１〜４０ａｎを介して受信するチューニングユニット４１ａ１〜４１ａｎと、受信された各放送チャンネルの放送コンテンツをデコード（伸長復号化）するデコードユニット４２ａ１〜４２ａｎと、デコードされた各放送チャンネルの放送コンテンツに基づくモニタリング処理を含む各種処理を実行するＣＰＵ４３とを備えている。
【００３６】
また、コンピュータシステム２２は、ＣＰＵ４３が読取って実行可能であり、このＣＰＵ４３に対して上記モニタリング処理を含む各種処理を実行させるためのプログラムＰ１（データ放送を受信するためのブラウザを含む）、および放送コンテンツの蓄積・再生に関する放送コンテンツ受信装置６側の処理をその装置６のコントローラに実行させるためのプログラムＰ２を記憶した記憶媒体であるメモリ４５と、チューニングユニット４１ａ１〜４１ａｎを介して受信された各放送チャンネルの放送コンテンツを蓄積記憶可能な大容量記憶媒としての蓄積部４６と、通信回線３０との接続を確立した状態においてその通信回線３０を介してデータ通信可能な通信インタフェース４７と、コンピュータシステム２２を操作するオペレータがＣＰＵ４３に対してコマンドやデータを入力するための入力部４８と、放送コンテンツを表示可能な表示ユニット４９とを備えている。
【００３７】
さらに、コンピュータシステム２２は、コンテンツホルダ１自体の情報｛氏名、住所、連絡先、通信回線３０を介した対応するコンピュータシステム２３の通信アドレス、モニタリング／調査依頼した著作物コンテンツ識別情報（識別コード等）｝を記憶するコンテンツホルダファイル５０Ｆ１、著作権ビジネス事業者３自体の情報｛事業者名、住所、連絡先、通信回線３０を介した対応するコンピュータシステム２４の通信アドレス、モニタリング／調査依頼した著作物コンテンツ識別情報（識別コード等）｝を記憶する著作権ビジネス事業者ファイル５０Ｆ２、広告代理店ＡＤ自体の情報｛代理店名、住所、連絡先、通信回線３０を介した対応するコンピュータシステム２５の通信アドレス、モニタリング／調査依頼した著作物コンテンツ識別情報（識別コード等）｝を記憶する広告代理店ファイル５０Ｆ３、コードセンタ２のコンピュータシステム２６の通信回線３０を経由した通信アドレスおよび放送コンテンツの視聴／聴取率モニタ世帯Ｍに設置された放送コンテンツ受信装置６の通信回線３０を介した通信アドレスをそれぞれ記憶するクライアントデータベース（ＤＢ）５０を備えている。
【００３８】
そして、コンピュータシステム２２は、著作物コンテンツコンテンツを識別するための識別コード、ＷＭコードおよび認識パターンデータと対応するコンテンツの属性情報とを互いに対応付けて記憶するための識別コード・ＷＭコード・認識パターンＤＢ５１と、ＣＰＵ４３の後述する処理により作成された、各放送チャンネルの放送コンテンツ（番組コンテンツ、ＣＭコンテンツ）が番組コンテンツなのかＣＭコンテンツなのかを識別するためのマスタデータを記憶するためのマスタデータファイル（番組マスタファイル）５２と、識別された番組コンテンツ／ＣＭコンテンツに含まれる著作物コンテンツを抽出して、その属性情報を記憶するための番組内コンテンツモニタリングＤＢ５３およびＣＭ内コンテンツモニタリングＤＢ５４と、ＣＰＵ４３の後述する処理により作成された、視聴／聴取率モニタ世帯Ｍにおける放送コンテンツの視聴率（放送コンテンツ→ＴＶ）／聴取率（放送コンテンツ→ラジオ）を表すデータファイルである視聴率／聴取率ファイル５５と、ＣＰＵ４３の後述する処理により作成された、視聴／聴取率モニタ世帯Ｍにおける放送コンテンツの蓄積・再生情報を表すデータファイルである蓄積・再生情報ファイル５６とをそれぞれ備えており、上述したコンピュータシステム２２の各構成要素は、コマンドバス、データバスを含むバス５７により互いに通信可能に相互接続されている。
【００３９】
視聴／聴取率モニタ世帯Ｍや他の世帯に設置された放送コンテンツ受信装置６は、リアルタイム視聴／聴取用および同時蓄積用として、２系統のチューニング・デコード部６０ａ１および６０ａ２を有している。
【００４０】
すなわち、第１および第２の系統のチューニング・デコード部６０ａ１および６０ａ２は、複数の放送局４ａ１〜４ａｎの放送システム３２ａ１〜３２ａｎから配信されてきた複数の放送チャンネルの放送コンテンツの中から、後述する入力部の操作に応じた所望のチャンネル（視聴／聴取チャンネルおよび蓄積チャンネル）の放送コンテンツをチューニングして受信アンテナ６１ａ１および６１ａ２を介して受信するチューニングユニット６２ａ１および６２ａ２と、受信されたリアルタイム視聴用および蓄積用の放送コンテンツをデコード（伸長復号化）するデコードユニット６３ａ１および６３ａ２とを備えている。
【００４１】
また、放送コンテンツ受信装置６は、後述するコントローラの処理によりリアルタイム視聴用として指定されたデコードユニット６３ａ１および６３ａ２の内の一方のデコードユニットによりデコードされた放送コンテンツを映像・音声信号等に変換して出力する出力部６４｛例えば、映像・音声信号（ＴＶ）の場合、スピーカを含む独立電源タイプのＴＶモニタ、音声信号のみ（ラジオ）の場合、スピーカ｝とを備えている。
【００４２】
また、放送コンテンツ受信装置６は、放送コンテンツを蓄積記憶するための大容量記憶媒体としての蓄積部６５と、チューニングユニット６２ａ１および６２ａ２に対する受信チャンネル（リアルタイム視聴用チャンネル／蓄積用チャンネル）選択指定機能、タイマ蓄積用の蓄積開始時刻、蓄積時間（あるいは蓄積終了時刻）設定入力機能等を有する入力部６６と、この入力部６６により選択指定された情報に基づいて、デコードユニット６３ａ１および６３ａ２によりデコードされた放送コンテンツを出力部６４を介して出力するか、蓄積６５へ蓄積するかを切換制御する処理、視聴／聴取率や蓄積・再生情報収集する処理を含む各種処理を実行するコントローラ（コンピュータ）６７とを備えている。
【００４３】
さらに、放送コンテンツ受信装置６は、コントローラ６７が読取って実行可能であり、このコントローラ６７に対して上記切換制御処理等を含む各種処理を実行させるためのプログラムＰ３（データ放送を受信するためのブラウザを含む）を記憶した記憶媒体であるメモリ６８と、通信回線３０との接続を確立した状態においてその通信回線３０を介してデータ通信可能な通信インタフェース６９とを備えている。
【００４４】
そして、放送コンテンツ受信装置６は、コントローラ６７の後述する処理により作成された、視聴／聴取率モニタ世帯Ｍにおける放送コンテンツの視聴／聴取状況を表すデータファイルである視聴／聴取データファイル７５と、コントローラ６７の後述する処理により作成された、視聴／聴取率モニタ世帯Ｍにおける放送コンテンツの蓄積・再生状況を表すデータファイルである蓄積・再生情報ファイル７６とをそれぞれ備えており、上述した放送コンテンツ受信装置６の各構成要素は、コマンドバス、データバスを含むバス７７により互いに通信可能に相互接続されている。
【００４５】
一方、クライアント（コンテンツホルダ１、著作権ビジネス事業者３、広告代理店ＡＤ）に設置されたコンピュータシステム２３〜２５は、それぞれ処理プログラムが内蔵されたコンピュータ８０〜８２と、このコンピュータ８０〜８２の通信回線３０に対する接続を確立した状態、あるいは常時接続状態において、通信回線３０を介してデータ通信可能な通信インタフェース８５〜８７とを備えている。
【００４６】
特に、コンピュータ８０は、ＣＤ、ＤＶＤ等の記憶媒体に対してデータを読み書き可能なドライブ装置を内蔵しており、その記憶媒体に対して著作物コンテンツを書き込んで著作物コンテンツが記憶された記憶媒体を制作可能になっている。
【００４７】
次に、本実施形態の著作物コンテンツモニタリングシステム２０の全体動作について説明する。
【００４８】
なお、以下の説明では、著作物コンテンツとして、楽曲コンテンツのモニタリングする場合について例示する。また、説明を容易にするため、放送局４ａ１〜４ａｎを、放送コンテンツとしてテレビ番組コンテンツ、テレビコマーシャルコンテンツを放送するテレビ放送局とし、放送コンテンツ受信装置６をテレビ用の放送コンテンツ受信装置であるものとする。
【００４９】
（１）楽曲コードおよびＷＭコードがエンコードされた楽曲コンテンツをモニタリングする場合
多数の楽曲コンテンツを制作してその楽曲コンテンツを所有したコンテンツホルダ１は、その楽曲コンテンツを用いて新たにＣＤを制作する際に、その楽曲コンテンツの楽曲名、そのコンテンツの著作者・権利者等を表す属性情報を含む楽曲コンテンツ識別用のコードの発行依頼（申込）を、例えば、コンピュータシステム２３を介したオンライン処理によりコードセンタ２のコンピュータシステム２１に送信する（図５；ステップＳ１）。
【００５０】
コードセンタ２のコンピュータシステム２１におけるコンピュータ３３は、そのメモリに記憶されたＷＭコード発行用のナレッジデータに基づいて、送信された楽曲コンテンツの属性情報を登録して識別コード（以下、楽曲コンテンツのン場合、楽曲コードとも記載する）およびＷＭコードをそれぞれ発行し（ステップＳ２）、発行した楽曲コードおよびＷＭコードをコンテンツホルダ１のコンピュータシステム２３に送信するとともに、発行した楽曲コードを対応する楽曲コンテンツの属性情報に対応付けて識別コードファイル３５を作成し、発行した楽曲コードに対応するとＷＭコードとを対応付けてＷＭコードファイル３６を作成してデータベース３７内に記憶する（ステップＳ３）。
【００５１】
コンテンツホルダ１のコンピュータシステム２３（コンピュータ８０）は、送信されてきた楽曲コードおよびＷＭコードを受信・確認し（ステップＳ４）、楽曲コンテンツ（音声データ）に対して、楽曲コードをエンコードし、さらに、例えば所定間隔毎にＷＭコードをエンコードし（ステップＳ５）、楽曲コードおよびＷＭコードがエンコードされた楽曲コードを、ドライブ装置に装着されたＣＤにプレスして楽曲コンテンツＣＤを制作する（ステップＳ６）。
【００５２】
このように、コンテンツホルダ１は、そのコンピュータシステム２３を用いて、制作・所有した複数の楽曲コンテンツのＣＤを、楽曲コードおよびＷＭコードをエンコードした状態で制作し、販売するようになっている。
【００５３】
一方、複数の放送局４ａ１〜４ａｎにおける、例えば放送局４ａｋ（１≦ｋ≦ｎ）は、放送コンテンツ（番組コンテンツ、ＣＭコンテンツ）を制作するにあたり、楽曲コンテンツＣＤに記録された楽曲コンテンツを使用したいと考えた場合に、その放送システム３２ａｋの処理により、広告代理店ＡＤから出稿された広告素材（使用する楽曲コンテンツの指定も含む）および各種マルティメディア素材を用いて、放送コンテンツ（番組コンテンツ、ＣＭコンテンツ）を制作・編集し（ステップＳ７）、制作した放送コンテンツ（番組コンテンツ、ＣＭコンテンツ）の所定位置において使用したい楽曲コンテンツを挿入し（ステップＳ８）、その楽曲コンテンツが挿入された放送コンテンツ（番組コンテンツ、ＣＭコンテンツ）を圧縮符号化・多重化処理し、符号化・多重化処理された放送コンテンツを変調して送信アンテナ３１ａｋを介して配信する（ステップＳ９）。
【００５４】
一方、著作物コンテンツモニタリング事業者５側のコンピュータシステム２２は、例えばコードセンタ２のＤＢ３７が更新される毎等、定期的に、コードセンタ２のコンピュータシステム２１の処理を介して識別コードファイル３５およびＷＭコードファイル３６を受信し（ステップＳ１０）、受信した識別コードファイル３５およびＷＭコードファイル３６に基づいて、楽曲コード毎に、そのＷＭコードおよび楽曲コンテンツ属性情報を対応付けたデータテーブルＴ１を作成して識別コード・ＷＭコード・認識パターンＤＢ５１に記憶している（ステップＳ１１）。
【００５５】
図６は、楽曲コード・ＷＭコード・認識パターンＤＢ５１に記憶されたデータテーブルＴ１のデータ構造を示す図であり、各楽曲コンテンツの楽曲コード毎に、そのＷＭコードおよび楽曲コンテンツ属性情報が互いに対応付けられている。
【００５６】
そして、ステップＳ９の処理等により、放送局４ａｋから配信された放送コンテンツＢＣｋは、その放送局４ａｋにリアルタイム視聴チャンネルがセットされた視聴者Ｕの放送コンテンツ受信装置６に受信され、コントローラ６７の処理によりその出力装置６４を介して表示出力される。この結果、視聴者Ｕは、配信された放送コンテンツを視聴することができる（ステップＳ１２）。
【００５７】
一方、著作物コンテンツモニタリング事業者側のコンピュータシステム２２は、放送局４ａｋを含む全ての放送局４ａ１〜４ａｎから配信されている放送コンテンツを、複数のチューニングユニット４１ａ１〜４１ａｎおよびデコードユニット４２ａ１〜４２ａｎを介して同時に受信しており（ステップＳ１３）、コンピュータシステム２２におけるＣＰＵ４３は、各チューニングユニット４１ａ１〜４１ａｎおよびデコードユニット４２ａ１〜４２ａｎを介して受信された各放送コンテンツにおいて、楽曲コード・ＷＭコード・認識パターンＤＢ５１に蓄積されたＷＭコードとマッチングするＷＭコードを含む楽曲コンテンツが存在するか否かをＤＢ５１を参照して判断し（ステップＳ１４）、この結果、存在する場合（ステップＳ１４→ＹＥＳ）、そのＷＭコードに対応する楽曲コードおよび属性情報をＤＢ５１を参照して抽出し、実際に配信されている楽曲コンテンツを確定する（ステップＳ１５）。
【００５８】
一方、ステップＳ１４の判断の結果、存在しない場合には（ステップＳ１４→ＮＯ）、後述するステップＳ３４の処理に移行する。
【００５９】
また、ステップＳ１３〜ステップＳ１４の処理と同時に、ＣＰＵ４３は、各チューニングユニット４１ａ１〜４１ａｎおよびデコードユニット４２ａ１〜４２ａｎを介して受信された各放送コンテンツが番組コンテンツかＣＭコンテンツなのかを判別する処理を実行する。なお、この番組コンテンツ／ＣＭコンテンツ判別処理としては、例えば、特許公報第２５８５０４１号に開示された判別方式に基づく処理等、各種の判別処理が利用可能である。
【００６０】
すなわち、ＣＰＵ４３は、受信した各放送コンテンツに対応するマスタデータが番組マスタファイル５２に記憶されているか否かを判断する（ステップＳ１６）。
【００６１】
ステップＳ１６の判断の結果、ＮＯ（マスタデータ無し）の場合、ＣＰＵ４３は、その各放送コンテンツから表示ユニット４９を使用してＣＭコンテンツを抜き出して番組コンテンツ／ＣＭコンテンツを判別し、判別した番組コンテンツ／ＣＭコンテンツにおける所定の周波数帯域成分を抽出して判別用の判別データファイルを作成する（ステップＳ１７）。
【００６２】
ステップＳ１７と同時に、例えばオペレータによる入力部４８の操作により、判別した番組コンテンツ／ＣＭコンテンツの内容を識別するためのキーワード（番組キーワード／ＣＭキーワード、例えば、番組キーワードとしては、放送局、番組名等、また、ＣＭキーワードとしては、広告クライアント、クライアント業種、商品・サービス名等）がＣＰＵ４３に入力されており（ステップＳ１８）、ＣＰＵ４３は、判別した各放送コンテンツ毎に、番組かＣＭかを識別できる番組／ＣＭ識別コード（１：番組、２：ＣＭ）を付加し、その各番組／ＣＭ識別コードに、対応する番組キーワード／ＣＭキーワードおよび判別データファイルを対応付けて、番組マスタデータとして番組マスタファイル５２に蓄積記憶する（ステップＳ１９）。
【００６３】
図７は、テレビ番組マスタファイル５２に蓄積記憶された番組マスタデータのデータ構造を示す図であり、各番組／ＣＭ識別コード毎に、ＣＭキーワード／番組キーワードおよび判別データファイルが互いに対応付けられている。
【００６４】
この結果、ステップＳ１６の判断によりＮＯ（マスタデータ無し）の場合、すなわち、受信した各放送コンテンツのマスタデータが番組マスタファイル５２に記憶されていない場合には、そのマスタデータが作成されて番組マスタファイル５２に蓄積記憶されることになる。
【００６５】
一方、ステップＳ１５の処理後で、ステップＳ１６の判断がＹＥＳ（あるいは、判断がＮＯで対応するマスタデータが作成された後）において、ＣＰＵ４３は、ステップＳ１５により確定した楽曲コンテンツを使用した放送コンテンツＢＣｋがＣＭコンテンツか番組コンテンツかを、番組マスタファイル５２の全てのマスタデータと比較して判断し（ステップＳ２０）、このステップＳ２０により、番組コンテンツと判断された場合には、ＣＰＵ４３は、その計時機能に基づいて求められた配信日時（オンエア日時）、放送チャンネル、放送局名等を、識別コード・ＷＭコード・認識パターンＤＢ５１を参照して抽出した対応する識別コード、ＷＭコードおよび属性情報（例えば、その一部）に付加し（ステップＳ２１）、付加後のデータを、対応する楽曲コンテンツの配信状況を表すデータとして番組内コンテンツモニタリングＤＢ５３に蓄積記憶する（ステップＳ２２）。
【００６６】
また、ステップＳ２０により、ＣＭコンテンツと判断された場合においても、番組コンテンツの時と同様に、ステップＳ２１およびステップＳ２２の処理が実行され、配信日時、放送チャンネル、放送局名等が、識別コード、ＷＭコードおよび属性情報（の一部）に付加されたデータが配信状況を表すデータとしてＣＭコンテンツ内モニタリングＤＢ５４に蓄積記憶される。
【００６７】
図８は、番組内コンテンツモニタリングＤＢ５３およびＣＭ内コンテンツモニタリングＤＢ５４に蓄積記憶された楽曲コンテンツ配信状況を表すデータのデータ構造の一例として、例えばＣＭ内コンテンツモニタリングＤＢ５４に蓄積記憶された楽曲コンテンツ配信状況を表すデータのデータ構造を示す図であり、配信された各楽曲コンテンツの楽曲コード毎に、ＷＭコードおよび属性情報の一部、配信日時（オンエア日時）放送局名が互いに対応付けられている。
【００６８】
このようにして、各放送局４ａ１〜４ａｎから放送された各放送コンテンツ（番組コンテンツ、ＣＭコンテンツ）内に、識別コード・ＷＭコード・認識パターンＤＢ５１に記憶されたＷＭコードとマッチングする楽曲コンテンツが含まれていた場合には、その楽曲コンテンツの配信状況を表すデータが番組内コンテンツモニタリングＤＢ５３／ＣＭ内コンテンツモニタリングＤＢ５４に蓄積記憶される。
【００６９】
ＣＰＵ４３は、所定の集計タイミング（例えば、１日毎等）において、番組内コンテンツモニタリングＤＢ５３およびＣＭ内コンテンツモニタリングＤＢ５４に記憶された配信状況データを、例えば楽曲コードをキーとして集計し（ステップＳ２３）、クライアントＤＢ５０のコンテンツホルダファイル５０Ｆ１、著作権ビジネス事業者ファイル５０Ｆ２を参照して、その通信アドレスを求め、集計した配信状況データにおける、著作権ビジネス事業者３に対応する楽曲コンテンツ（コンテンツホルダ１から委託された楽曲コンテンツ）の配信状況データ、およびコンテンツホルダ１に対応する楽曲コンテンツの配信状況データを抽出し、抽出した配信状況データＲＡを、求めたアドレスに対して送信する（ステップＳ２４）。
【００７０】
このとき、著作権ビジネス事業者３のコンピュータシステム２４は、送信されてきた配信状況データＲＡを受信し、例えばそのコンピュータシステム２４のモニタに表示することにより、著作権ビジネス事業者３は、自らが所有する楽曲コンテンツ（楽曲コード、ＷＭコードをエンコードしたＣＤに含まれる楽曲コンテンツ）の正確な配信状況を確認することができるため（ステップＳ２５）、実際の配信状況に応じた正確な著作権使用料を各放送局４ａ１〜４ａｎへ請求することができ（ステップＳ２６）、各放送局４ａ１〜４ａｎから支払われた著作権使用料を、対応するコンテンツホルダ１へ正確に支払う（分配する）ことができる（ステップＳ２７）。
【００７１】
また、コンテンツホルダ１のコンピュータシステム２３は、送信されてきた配信状況データＲＡを受信し、例えばそのコンピュータシステム２３のモニタに表示することにより、コンテンツホルダ１は、自ら所有する楽曲コンテンツの正確な配信状況を確認することができ、正確な使用料の請求を行なうことができる（ステップＳ２８）。
【００７２】
（２）ＷＭコードがエンコードされていない既製の楽曲コンテンツをモニタリングする場合
（１）の場合と異なり、既に制作されたＷＭコードがエンコードされていないＣＤに含まれる楽曲コンテンツのモニタリングを著作物コンテンツモニタリング事業者に依頼する場合、コンテンツホルダ１は、その楽曲コンテンツデータ自体、対応する楽曲コード、その楽曲名、そのコンテンツの著作者・権利者等を表す属性情報を含むモニタリング依頼情報を、例えば、コンピュータシステム２３を介したオンライン処理により著作物コンテンツモニタリング事業者５のコンピュータシステム２２に送信する（図９；ステップＳ３０）。
【００７３】
このとき、著作物コンテンツモニタリング事業者５側のコンピュータシステム２２におけるＣＰＵ４３は、送信されてきた楽曲コンテンツデータ自体を含むモニタリング依頼情報を受信してコンテンツホルダファイル５０Ｆ１に登録し（ステップＳ３１）、受信した楽曲コンテンツデータの所定の区間（例えば、特徴的な区間等）を抽出して楽曲認識パターンファイルを生成し（ステップＳ３２）、生成した認識パターンファイルを対応する楽曲コンテンツの属性情報に対応付けて楽曲・ＷＭコード・認識パターンＤＢ５１に蓄積記憶する（ステップＳ３）。
【００７４】
図１０は、楽曲コード・ＷＭコード・認識パターンＤＢ５１に記憶されたデータテーブルＴ２のデータ構造を示す図であり、例えば、シークエンス（ＳＱ）Ｎｏ．１、２の楽曲コンテンツに対しては、ＷＭコードは無く、その楽曲コンテンツの楽曲コード毎に、楽曲コンテンツ属性情報および認識パターンファイルが互いに対応付けられている。
【００７５】
一方、前掲図５に示したように、ステップＳ９〜ステップＳ１３の処理により各放送コンテンツが受信されると、コンピュータシステム２２におけるＣＰＵ４３は、各放送コンテンツにおいて、ステップＳ１４のＷＭコードマッチング処理を実行する。
【００７６】
このとき、各放送コンテンツにおいて、ＷＭコードを含まない楽曲コンテンツが存在する場合には、ステップＳ１４の処理はＮＯとなり、ＣＰＵ４３は、その楽曲コンテンツから所定の区間における信号パターンを認識パターンとして抽出し、抽出した認識パターンが楽曲コード・ＷＭコード・認識パターンＤＢ５１に蓄積された対応する所定区間の認識パターンと一致するか否かを判断する（ステップＳ３４）。
【００７７】
このステップＳ３４の判断の結果、存在しない場合（ステップＳ３４→ＮＯ）には、ＣＰＵ４３は、次の楽曲コンテンツに対する認識処理へ移行する。
【００７８】
一方、ステップＳ３４の判断の結果、マッチングする楽曲コンテンツが存在する場合には（ステップＳ３４→ＹＥＳ）には、ＣＰＵ４３は、その認識パターンに対応する楽曲コードおよび属性情報をＤＢ５１を参照して抽出して実際に配信されている楽曲コンテンツを確定し（ステップＳ１５）、以下、前掲図５と同様のステップＳ１６〜２４の処理を行なう。
【００７９】
この結果、仮に既製の楽曲コンテンツであって、ＷＭコードがエンコードされていない楽曲コンテンツが各放送局４ａ１〜４ａｎから放送された各放送コンテンツ（番組コンテンツ、ＣＭコンテンツ）内において使用されていた場合でも、識別コード・ＷＭコード・認識パターンＤＢ５１に記憶された楽曲認識パターンとマッチングする楽曲コンテンツが含まれていた場合には、その楽曲コンテンツの配信状況を表すデータを番組内コンテンツモニタリングＤＢ５３／ＣＭ内コンテンツモニタリングＤＢ５４に蓄積記憶することができる。
【００８０】
この結果、前掲図５のステップＳ２３〜Ｓ２８に示した処理が実行され、上記ＷＭコードがエンコードされていない楽曲コンテンツに対する使用モニタリングおよび使用料の請求も正確に行なうことが可能になる。
【００８１】
なお、上述した（１）および（２）の著作物コンテンツ配信状況モニタリング処理においては、著作物コンテンツ配信状況を表すデータのみを、クライアント（コンテンツホルダ１、著作権ビジネス事業者３等）に対して提供したが、本発明はこれに限定されるものではなく、上記配信状況データに加えて、高付加価値情報として、その著作物コンテンツ（楽曲コンテンツ）の視聴率データを提供することも可能である。
【００８２】
図１１は、上述した著作物コンテンツの視聴率データを提供するための著作物コンテンツモニタリング事業者のコンピュータシステム２２の処理およびモニタ世帯Ｍに属する視聴者Ｕの放送コンテンツ受信装置６の処理を示す図である。
【００８３】
すなわち、前掲図５等と同様に、複数の放送局４ａ１〜４ａｎから配信された放送コンテンツの中で、その放送コンテンツ受信装置６において設定されたリアルタイム視聴チャンネルに対応する放送コンテンツは、リアルタイム視聴用のチューニング・デコード部（例えば、チューニング・デコード部６０ａ１）を介して受信され、コントローラ６７の処理により出力部６４から出力される（ステップＳ１２参照）。
【００８４】
このとき、コントローラ６７は、自受信装置６の視聴データ、すなわち、視聴している放送局の名称（放送チャンネル）を含む秒単位の視聴状況を表すデータ（視聴データ）を視聴／聴取データファイル７５に順次記録する（ステップＳ４０）。
【００８５】
次いで、コントローラ６７は、所定の集計タイミング（例えば、早朝等）に応じて、視聴／聴取データファイル７５に順次記録された視聴データを読み出し、読み出した視聴データを視聴結果として視聴／聴取データファイル７５に蓄積記憶し（ステップＳ４１）、その視聴結果を著作物コンテンツモニタリング事業者側のコンピュータシステム２２に送信する（ステップＳ４２）。
【００８６】
このようにして、予め無作為に設定された全てのモニタ世帯Ｍの放送コンテンツ受信装置６から視聴結果が著作物コンテンツモニタリング事業者側のコンピュータシステム２２に送信される。
【００８７】
このとき、コンピュータシステム２２のＣＰＵ４３は、全てのモニタ世帯Ｍの放送コンテンツ受信装置６から送信されてきた視聴結果を受信し、受信した視聴結果に基づいて、各放送局４ａ１〜４ａｎから配信された各放送コンテンツの所定区間内（例えば、１日毎）の視聴率データ｛例えば、総世帯視聴率（「実際に視聴している世帯」／「総世帯数」）×１００（％）｝を生成して視聴／聴取率ファイル５５に蓄積記憶する（ステップＳ４３）。
【００８８】
一方、ＣＰＵ４３は、前掲図５あるいは図９で示した楽曲コンテンツモニタリング処理（ステップＳ１３〜Ｓ２２、あるいはステップＳ１３〜Ｓ１４、ステップＳ３４、ステップＳ１６〜Ｓ２２）を実行しており、番組内コンテンツモニタリングＤＢ５３およびＣＭ内コンテンツモニタリングＤＢ５４には、楽曲コンテンツの配信状況を表すデータがそれぞれ蓄積記憶されている。
【００８９】
このとき、ＣＰＵ４３は、所定のタイミングに応じて、番組内コンテンツモニタリングＤＢ５３に蓄積記憶された楽曲コンテンツ配信状況データおよび視聴／聴取率ファイル５５に蓄積記憶された各放送コンテンツの視聴率データに基づいて、統計分析処理を実行する。
【００９０】
すなわち、ＣＰＵ４３は、番組内コンテンツモニタリングＤＢ５３に蓄積記憶された各楽曲コード毎の放送回数を各放送局毎に加算して、各楽曲コードに対応する楽曲コンテンツの各放送局毎の放送回数を求めるとともに、各楽曲コードに対応する楽曲コンテンツのオンエア日時における総視聴率を求め（ステップＳ４４）、求めた各楽曲コードに対応する楽曲コンテンツの各放送局毎の放送回数およびオンエア日時における総視聴率を、対応する各楽曲コードおよび属性情報（（例えば、その一部）に付加して統計分析データを生成し、生成した統計分析データを、各クライアント（例えば、コンテンツホルダ１、広告代理店ＡＤ、各放送局４ａ１〜４ａｎの通信アドレスに対して送信する（ステップＳ４５）。
【００９１】
例えば、図１２は、生成された統計分析データＳＲ１のデータ構造（ファイル構造）の一例を示す図であり、各楽曲コンテンツの楽曲コード毎に、その属性情報の一部および各放送局毎の放送回数・総視聴率が互いに対応付けられている。
【００９２】
このとき、各放送局４ａ１〜４ａｎの放送システム２２ａ１〜２２ａｎは、送信されてきた統計分析データを受信し、例えば、その放送システム２２ａ１〜２２ａｎの蓄積部に記憶し、そのモニタに表示する（ステップＳ４６）。
【００９３】
同様に、広告代理店ＡＤのコンピュータシステム２５は、送信されてきた統計分析データを受信し、例えば、そのシステム２５の蓄積部に記憶し、そのモニタに表示し（ステップＳ４７）、また、コンテンツホルダ１のコンピュータシステム２３は、送信されてきた統計分析データを受信し、例えば、そのシステム２３の蓄積部に記憶し、そのモニタに表示する（ステップＳ４８）。
【００９４】
この結果、各クライアントとして、例えば、各放送局４ａ１〜４ａｎは、自局・他局が放送した楽曲コンテンツの放送回数および総視聴率を把握することができ、今後の楽曲コンテンツの使用を計画する際に役立てることができる。また、コンテンツホルダ１は、自ら保有する楽曲コンテンツの各放送局における放送回数および総視聴率を把握することができ、今後の楽曲コンテンツの使用を売り込む際に利用することができる。
【００９５】
なお、図１１では、ＣＰＵ４３は、所定のタイミングに応じて、番組内コンテンツモニタリングＤＢ５３に蓄積記憶された楽曲コンテンツ配信状況データおよび視聴／聴取率ファイル５５に蓄積記憶された各放送コンテンツの視聴率データに基づいて統計分析処理を実行し、統計分析データを生成したが、同様に、ＣＭ内コンテンツモニタリングＤＢ５４に蓄積記憶された楽曲コンテンツ配信状況データおよび視聴／聴取率ファイル５５に蓄積記憶された各放送コンテンツの視聴率データに基づいて統計分析処理を実行し、統計分析データを生成することもできる（図１３参照）。
【００９６】
また、図１１および図１３では、楽曲コンテンツの統計分析データを、番組コンテンツで使用された場合とＣＭコンテンツで使用された場合とで分けて求めたが、当然、番組コンテンツおよびＣＭコンテンツを統合した統計分析データを求めることも可能である。
【００９７】
例えば、その際の統計分析処理の一例として、ＣＰＵ４３は、番組内コンテンツモニタリングＤＢ５３およびＣＭ内コンテンツモニタリングＤＢ５４にそれぞれ蓄積記憶された楽曲コンテンツ配信状況データおよび視聴／聴取率ファイル５５に蓄積記憶された各放送コンテンツの視聴率データに基づいて、各楽曲コードや各ＷＭコードに対応する楽曲コンテンツのオンエア日時における平均視聴率を求め（ステップＳ４４）、求めた各楽曲コードに対応する楽曲コンテンツの各放送局毎の平均視聴率を、対応する各楽曲コード、属性情報（例えば、その一部）、配信状況データ（例えば、オンエア日時）および番組／ＣＭ識別コードに付加して統計分析データを生成することもできる。
【００９８】
例えば、図１４は、生成された統計分析データＳＲ２のデータ構造（ファイル構造）の一例を示す図であり、各楽曲コンテンツのＷＭコード毎に、その属性情報の一部、オンエア日時、番組／ＣＭ識別コードおよび平均視聴率が互いに対応付けられている。
【００９９】
この結果、統計分析データを受信・表示した各クライアントは、関心のある楽曲コンテンツが番組コンテンツ内で使用された場合の平均視聴率とＣＭコンテンツ内で使用された場合の平均視聴率とを比べることが可能になり、楽曲コンテンツの効果的な配信の仕方を考える際の貴重なデータとして利用することができる。
【０１００】
一方、上述した高付加価値情報提供処理においては、配信状況データに加えて、高付加価値情報として、その著作物コンテンツの視聴率データを提供する処理について説明したが、本発明はこれに限定されるものではなく、上記配信状況データに加えて、高付加価値情報として、その著作物コンテンツ（楽曲コンテンツ）の録画・再生状況を表すデータを提供することも可能である。
【０１０１】
図１５は、上述した著作物コンテンツの録画・再生状況を表すデータを提供するための著作物コンテンツモニタリング事業者のコンピュータシステム２２の処理およびモニタ世帯Ｍに属する視聴者Ｕの放送コンテンツ受信装置６の処理を示す図である。
【０１０２】
著作物コンテンツモニタリング事業者５のコンピュータシステム２２におけるＣＰＵ４３は、予め、全てのモニタ世帯Ｍに属する視聴者Ｕの放送コンテンツ受信装置６に対して、プログラムＰ２を配信する（ステップＳ５０）。
【０１０３】
モニタ世帯Ｍに属する視聴者Ｕの放送コンテンツ受信装置６のコントローラ６７は、プログラムＰ３に従って動作しており、送信されてきたプログラムＰ２を受信してメモリ６８に記憶する（ステップＳ５１）。
【０１０４】
一方、前掲図５等と同様に、複数の放送局４ａ１〜４ａｎから対応する放送チャンネルの放送コンテンツが配信されている（ステップＳ９）。
【０１０５】
このとき、モニタ世帯Ｍの視聴者Ｕが、所定の放送チャンネルの録画を行ないたいと考えた場合、視聴者Ｕは、入力部４８を操作して、コントローラ６７に対して、所定の放送チャンネルの録画（蓄積）チャンネルの選択指定情報、タイマ蓄積の場合には、そのタイマ蓄積情報（蓄積開始時刻、蓄積終了時刻等）を含む蓄積要求を入力する。
【０１０６】
コントローラ６７は、入力された蓄積要求に応じて、蓄積用のチューニング・デコード部（例えば、チューニング・デコード部６０ａ２）における蓄積用チャンネルを指定されたチャンネルに設定して、その蓄積用のチューニング・デコード部６０ａ２を介して指定放送チャンネルの放送コンテンツを受信し（ステップＳ５２）、受信した放送コンテンツの蓄積部６５への蓄積（録画）を開始する（ステップＳ５３）。
【０１０７】
このとき、コントローラ６７は、プログラムＰ２に従って動作し、放送コンテンツを蓄積部６５への蓄積（録画）している際に、同時に録画情報を記録する処理を実行する（ステップＳ５４）。
【０１０８】
すなわち、コントローラ６７は、図１６に示すように、録画（蓄積）を開始した放送コンテンツに対して、録画チャンネル（蓄積チャンネル）・録画開始日時を表す情報を挿入し（ステップＳ５４ａ）、次いで、所定間隔毎（例えば、数秒毎）に、タイムインデックスを録画放送コンテンツに対して挿入する（ステップＳ５４ｂ）。
【０１０９】
続いて、コントローラ６７は、入力部４８から録画終了要求が入力されるか、タイマ録画の場合、現在時刻が録画（蓄積）終了時刻に到達したか否かを判断し（ステップＳ５４ｃ）、この判断の結果、ＮＯである場合には、ステップＳ５４ｂのタイムインデックス挿入処理を繰り返し実行する。
【０１１０】
一方、ステップＳ５４ｃの判断の結果、ＹＥＳ、すなわち、録画終了要求が入力されるか、現在時刻が録画（蓄積）終了時刻に到達した場合には、コントローラ６７は、録画（蓄積）を終了した放送コンテンツに対して、録画終了日時を表す情報を挿入する（ステップＳ５４ｄ）。
【０１１１】
次いで、コントローラ６７は、録画チャンネル、録画開始日時および録画終了日時を互いに対応付けて録画完了データを作成し（ステップＳ５４ｅ）、作成した録画完了データを蓄積・再生情報ファイル７６に記憶する（ステップＳ５４ｆ）。
【０１１２】
また、コントローラ６７は、ステップＳ５４（Ｓ５４ａ〜Ｓ５４ｆ）の処理と同時並列的に、プログラムＰ２に基づいて、同時視聴の有無を判別する処理を実行する。
【０１１３】
すなわち、コントローラ６７は、ステップＳ５４ａの処理に応じて録画チャンネル・録画開始日時を特定し（ステップＳ５４ｇ）、出力装置６４（本実施形態では、テレビ用の放送コンテンツ受信装置であるため、ＴＶモニタ）の電源がＯＮであるか否かを判断する（ステップＳ５４ｈ）。
【０１１４】
このステップＳ５４ｈの判断の結果ＮＯ（電源ＯＦＦ）である場合には、コントローラ６７は、同時視聴無し、すなわち、視聴者Ｕは録画時において録画放送コンテンツを同時に視聴していないと判断して（ステップＳ５４ｉ）、対応する録画放送コンテンツの録画完了データに対して、“同時視聴無し”を表すデータを追加する（ステップＳ５４ｊ）。
【０１１５】
一方、ステップＳ５４ｈの判断の結果ＹＥＳ（電源ＯＮ）である場合には、コントローラ６７は、リアルタイム視聴側のチューニング・デコード部６０ａ１の選択チャンネル（リアルタイム視聴チャンネル）と録画チャンネルとが一致しているか否か判断する（ステップＳ５４ｋ）。
【０１１６】
このステップＳ５４ｋの判断の結果ＮＯ（不一致）である場合には、コントローラ６７は、同時視聴無し、すなわち、視聴者Ｕは録画時において録画放送コンテンツを同時に視聴していないと判断して（ステップＳ５４ｌ）、対応する録画放送コンテンツの録画完了データに対して、“同時視聴無し”を表すデータを追加する（ステップＳ５４ｍ）。
【０１１７】
一方、Ｓ５４ｋの判断の結果ＹＥＳ（一致）である場合には、コントローラ６７は、同時視聴有り、すなわち、視聴者Ｕは録画時において録画放送コンテンツを同時に視聴していると判断して（ステップＳ５４ｎ）、対応する録画放送コンテンツの録画完了データに対して、“同時視聴有り”を表すデータを追加する（ステップＳ５４ｏ）。
【０１１８】
図１８は、蓄積・再生情報ファイル７６に記憶された録画完了データＲＤのデータ構造を示す図であり、録画（蓄積）した放送コンテンツに対応する録画開始日時、録画終了日時、録画チャンネル（録画放送局）および同時視聴判別データ（同時視聴有り／無し）が互いに対応付けられて記憶されている。
【０１１９】
一方、モニタ世帯Ｍの視聴者Ｕが、蓄積部６５に蓄積された所定の放送コンテンツを再生したいと考えた場合、視聴者Ｕは、入力部４８を操作して、コントローラ６７に対して、対応する放送コンテンツの再生要求を入力する。
【０１２０】
コントローラ６７は、入力部４８から入力された再生要求に応じて、蓄積部６５から対応する放送コンテンツを読み出して出力装置６４を介して出力することにより、再生を開始する（ステップＳ６０）。
【０１２１】
このとき、コントローラ６７は、プログラムＰ２に基づいて、蓄積部６５に蓄積した放送コンテンツの再生時において、その再生情報を記録する処理を実行する（ステップＳ６１）。
【０１２２】
すなわち、コントローラ６７は、再生を開始した放送コンテンツに対して、再生開始日時をメモリ６８に記録し（ステップＳ６１ａ）、再生を開始した放送コンテンツに挿入された録画チャンネル（蓄積チャンネル）・録画開始日時を表す情報を抽出する（ステップＳ６１ｂ）。
【０１２３】
次いで、コントローラ６７は、抽出した録画チャンネル（蓄積チャンネル）・録画開始日時を表す情報をメモリ６８に記録し（ステップＳ６１ｃ）、再生中の放送コンテンツに挿入されたタイムインデックスを抽出する（ステップＳ６１ｄ）。
【０１２４】
続いて、コントローラ６７は、抽出した再生部分の放送コンテンツのタイムインデックスをメモリ６８に記録し（ステップＳ６１ｅ）、入力部４８から再生終了要求が入力されたか否かを判断する（ステップＳ６１ｆ）。
【０１２５】
このステップＳ６１ｆの判断の結果がＮＯである場合には、コントローラ６７は、ステップＳ６１ｄ〜Ｓ６１ｅの再生部分タイムインデックス抽出・記録処理を繰り返し実行する。
【０１２６】
一方、ステップＳ６１ｆの判断の結果、ＹＥＳ、すなわち、再生終了要求が入力された場合には、コントローラ６７は、メモリ６８に記録された録画情報（録画チャンネル・録画開始日時情報）、再生開始日時情報、再生タイムインデックスを互いに対応付けて再生完了データＰＤを作成し（ステップＳ６１ｇ）、作成した再生完了データＰＤを、その録画情報をキーとして、対応する録画完了データと対応付けるように蓄積・再生情報ファイル７６に記憶する（ステップＳ６１ｈ）。
【０１２７】
図１８は、蓄積・再生情報ファイル７６に記憶された再生完了データＰＤのデータ構造を示す図であり、再生開始日時情報および再生タイムインデックスが、対応する録画完了データに対応付けられて記憶されている。
【０１２８】
例えば、ＳＱＮｏ．１の楽曲コンテンツの再生完了データにおいては、再生開始日時情報（２００１年／４／６／００：３０）および再生タイムインデックス｛００−１８（例えば、１秒単位でインデックスが挿入されている場合、００秒から１８秒目のタイムインデックス部分まで再生していることを表す）、２１−４４（２１秒目から４４秒目まで再生）、４８−５２（４８秒目から５２秒目まで再生）｝が対応する楽曲コンテンツの録画完了データに関連付けられて記憶されている。
【０１２９】
このように、蓄積・再生情報ファイル７６には、録画完了データＲＤおよび再生完了データＰＤが記録され、コントローラ６７は、所定タイミング、例えば、一定時間毎、あるいは蓄積・再生情報ファイル７６が更新される毎に、その蓄積・再生情報ファイル７６をコピーして著作物コンテンツモニタリング事業者５のコンピュータシステム２２に自動送信する（ステップＳ６２）。
【０１３０】
コンピュータシステム２２のＣＰＵ４３は、送信されてきた蓄積・再生情報ファイル７６を受信し（ステップＳ６３）、番組内コンテンツモニタリングＤＢ５３に蓄積記憶された楽曲コンテンツ配信状況データ、ＣＭ内コンテンツモニタリングＤＢ５４に蓄積記憶されたＣＭコンテンツ配信状況データおよび受信した蓄積・再生情報ファイル７６に記録された録画完了データＲＤ・再生完了データＰＤに基づいて、統計分析処理を実行する。
【０１３１】
すなわち、ＣＰＵ４３は、番組内コンテンツモニタリングＤＢ５３およびＣＭ内コンテンツモニタリングＤＢ５４にそれぞれ蓄積記憶された各楽曲コードに対応する楽曲コンテンツのオンエア日時において、“同時視聴有り”の録画完了データを用いて、その楽曲コンテンツの番組内およびＣＭ内の所定期間内における平均視聴率（“同時視聴有り”のモニタ世帯数／総モニタ世帯数）を求めるとともに、上記各楽曲コードに対応する楽曲コンテンツのオンエア日時において、“同時視聴無し”の録画完了データを用いて、その楽曲コンテンツの番組内およびＣＭ内の所定期間内における平均録画率（“同時視聴無し”のモニタ世帯数／総モニタ世帯数）を求め、さらに、各楽曲コードに対応する楽曲コンテンツのオンエア日時に対応するタイムインデックスを有する再生完了データを用いて、所定期間内における再生率（オンエア時にタイムインデックスを有する再生完了データの数／全再生完了データの数）を求め、求めた平均視聴率、平均録画率および再生率を、応する属性情報（例えば、その一部）に付加して統計分析データを生成し（ステップＳ６４）、生成した統計分析データを、各クライアント（例えば、コンテンツホルダ１、広告代理店ＡＤ、各放送局４ａ１〜４ａｎの通信アドレスに対して送信する（ステップＳ６５）。
【０１３２】
例えば、図２０は、生成された統計分析データＳＲ３のデータ構造（ファイル構造）の一例を示す図であり、各楽曲コンテンツの属性情報の一部（楽曲名等）、各放送局毎の番組内／ＣＭ内の平均視聴率、平均録画率および再生率、そして番組内・ＣＭ内平均視聴率、平均録画率および再生率の合計が互いに対応付けられている。
【０１３３】
このとき、各放送局４ａ１〜４ａｎの放送システム２２ａ１〜２２ａｎは、送信されてきた統計分析データを受信し、例えば、その放送システム２２ａ１〜２２ａｎの蓄積部に記憶し、そのモニタに表示する（ステップＳ６６）。
【０１３４】
同様に、広告代理店ＡＤのコンピュータシステム２５は、送信されてきた統計分析データを受信し、例えば、そのシステム２５の蓄積部に記憶し、そのモニタに表示し（ステップＳ６７）、また、コンテンツホルダ１のコンピュータシステム２３は、送信されてきた統計分析データを受信し、例えば、そのシステム２３の蓄積部に記憶し、そのモニタに表示する（ステップＳ６８）。
【０１３５】
この結果、各クライアントとして、例えば、各放送局４ａ１〜４ａｎは、自局・他局が放送した楽曲コンテンツの平均視聴率、平均録画率および再生率を把握することができ、今後の楽曲コンテンツの使用を計画する際に役立てることができる。また、コンテンツホルダ１は、自ら保有する楽曲コンテンツの各放送局における平均視聴率、平均録画率および再生率を把握することができ、今後の楽曲コンテンツの使用を売り込む際に利用することができる。
【０１３６】
以上、詳述したように、本実施形態によれば、各放送局４ａ１〜４ａｎから放送された各放送コンテンツ（番組コンテンツ、ＣＭコンテンツ）内に、識別コード・ＷＭコード・認識パターンＤＢ５１に記憶されたＷＭコードや認識パターンとマッチングする楽曲コンテンツが含まれているか否かをモニタリングすることにより、各放送局４ａ１〜４ａｎから配信される楽曲コンテンツの正確な配信状況を求めることができ、その求めた配信状況を表すデータを各クライアント（著作権ビジネス事業者やコンテンツホルダ等）に提供することができる。
【０１３７】
したがって、著作物コンテンツモニタリング事業者は、著作権ビジネス事業者等の各クライアントの楽曲コンテンツ使用に関するビジネスの支援することができ、その配信状況を表すデータ提供サービスに基づく支援の対価を各クライアントから受取ることができる。
【０１３８】
また、各クライアントは、提供された配信状況を表すデータに基づいて、実際の配信状況に応じた正確な著作権使用料を各放送局４ａ１〜４ａｎへ請求することが可能になる。
【０１３９】
さらに、本実施形態では、上記配信状況データに加えて、高付加価値情報として、その著作物コンテンツ（楽曲コンテンツ）の視聴率データや録画・再生状況を表すデータを各クライアントに対して提供することも可能であり、各クライアントの楽曲コンテンツに関するビジネスを支援することができる。
【０１４０】
なお、上述した実施形態では、“著作物コンテンツ”として、“楽曲コンテンツ”を例にとって説明したが、本発明はこれに限定されるものではなく、静止画、動画等の画像コンテンツ、小説等のテキストコンテンツ等、様々な著作物コンテンツに対して適用可能である。
【０１４１】
また、本実施形態では、放送局４ａ１〜４ａｎを、放送コンテンツとしてテレビ番組コンテンツ、テレビコマーシャルコンテンツを放送するテレビ放送局としたが、ラジオ番組コンテンツ、ラジオコマーシャルを放送するラジオ局であってもよく、放送コンテンツ受信装置６をラジオ番組用の放送コンテンツ受信装置であってもよい。
【０１４２】
この場合、“視聴者”、“視聴率”等の用語は、“聴取者”、“聴取率”に読み替えればよく、また、“録画”等の用語も、“録音”に読み替えればよい。
【０１４３】
さらに、本実施形態では、コードセンタを著作物コンテンツモニタリング事業者のコンピュータシステム２２とは別個に設けたが、本発明はこれに限定されるものではなく、著作物コンテンツモニタリング事業者が設立することも可能であり、また、コンピュータシステム２２の機能として実現することも可能である。
【０１４４】
さらにまた、本実施形態では、著作物コンテンツに含まれる認識情報を、認識コードおよびＷＭコードとしたが、本発明はこれに限定されるものではなく、両者を統合、すなわち、ＷＭコード化された認識コードを認識情報として用いることもできる。
【０１４５】
なお、本実施形態における放送コンテンツ受信装置は、世帯（家庭）に設置するタイプに加えて、携帯型の端末タイプでもよい。
【０１４６】
最後に、本発明は、本実施形態に記載した構成に限定されるものではなく、本発明の主題および記載した請求項の範囲内においては、本発明の構成を多様に変更・変形して実施することが可能である。
【０１４７】
【発明の効果】
以上述べたように、本発明によれば、放送局等の著作物コンテンツ使用者から配信される著作物コンテンツに含まれる識別情報と予め記憶した識別情報とをマッチングすることにより、その著作物コンテンツの配信状況を正確にモニタリングすることができる。
【０１４８】
この結果、モニタリング結果である著作物コンテンツ配信状況データを著作権管理事業者に提供することができ、著作権管理事業者の著作権管理事業を支援しながら、その対価を取得できる著作物コンテンツモニタリングビジネスを構築することができる。
【０１４９】
また、本発明によれば、著作物コンテンツの配信状況に加えて、視聴者／聴取者側における著作物コンテンツの視聴／聴取率、蓄積・再生率等の付加価値の高い統計情報を著作権管理事業者やコンテンツホルダ等に提供することができ、著作権管理事業者やコンテンツホルダの事業を支援しながら、その対価を取得できる著作物コンテンツモニタリングビジネスを構築することができる。
【図面の簡単な説明】
【図１】本発明の実施の形態に係る著作物コンテンツモニタリング方法およびシステムに基づくビジネスモデルの概念を示す図。
【図２】図１に示した著作物コンテンツモニタリングに基づくビジネス手法を具体的に実現した著作物コンテンツモニタリングシステムのシステム構成を示す図。
【図３】著作物コンテンツとして、楽曲コンテンツに対応する識別コードファイルのファイル構造を示す図。
【図４】著作物コンテンツとして、楽曲コンテンツに対応するＷＭコードファイルのファイル構造を示す図。
【図５】著作物コンテンツモニタリングシステムの著作物コンテンツモニタリング処理を説明するための概略フローチャート。
【図６】楽曲コード・ＷＭコード・認識パターンＤＢに記憶されたデータテーブルのデータ構造を示す図。
【図７】テレビ番組マスタファイルに蓄積記憶された番組マスタデータのデータ構造を示す図。
【図８】ＣＭ内コンテンツモニタリングＤＢに蓄積記憶された楽曲コンテンツ配信状況を表すデータのデータ構造を示す図。
【図９】著作物コンテンツモニタリングシステムの著作物コンテンツモニタリング処理を説明するための概略フローチャート。
【図１０】楽曲コード・ＷＭコード・認識パターンＤＢに記憶されたデータテーブルのデータ構造を示す図。
【図１１】著作物コンテンツの視聴率データを提供するための著作物コンテンツモニタリング事業者のコンピュータシステムの処理およびモニタ世帯に属する視聴者の放送コンテンツ受信装置の処理を示す図。
【図１２】統計分析データのデータ構造（ファイル構造）の一例を示す図。
【図１３】著作物コンテンツの視聴率データを提供するための著作物コンテンツモニタリング事業者のコンピュータシステムの処理およびモニタ世帯に属する視聴者の放送コンテンツ受信装置の処理を示す図。
【図１４】統計分析データのデータ構造（ファイル構造）の一例を示す図。
【図１５】著作物コンテンツの録画・再生状況を表すデータを提供するための著作物コンテンツモニタリング事業者のコンピュータシステムの処理およびモニタ世帯に属する視聴者の放送コンテンツ受信装置の処理を示す図。
【図１６】本実施形態に係る放送コンテンツ受信装置のコントローラの処理の一例を示す概略フローチャート。
【図１７】本実施形態に係る放送コンテンツ受信装置のコントローラの処理の一例を示す概略フローチャート。
【図１８】蓄積・再生情報ファイルに記憶された録画完了データのデータ構造を示す図。
【図１９】本実施形態に係る放送コンテンツ受信装置のコントローラの処理の一例を示す概略フローチャート。
【図２０】統計分析データのデータ構造（ファイル構造）の一例を示す図。
【符号の説明】
１  コンテンツホルダ
２  コードセンタ
３  著作物コンテンツビジネス事業者
４  著作物コンテンツ使用者
４ａ１〜４ａｎ  放送局
５  著作物コンテンツモニタリング事業者
６  放送コンテンツ受信装置
２０  著作物コンテンツモニタリングシステム
２１、２３、２４、２５  コンピュータシステム
２２  著作物コンテンツモニタリング用コンピュータシステム
３０  通信回線
３３  コンピュータ
３４、４７、６９  通信インタフェース
３５  識別コードファイル
３６  ＷＭコードファイル
４０ａ１〜４０ａｎ、６１ａ１、６１ａ２  受信アンテナ
４１ａ１〜４１ａｎ、６２ａ１、６２ａ２  チューニングユニット
４２ａ１〜４２ａｎ、６３ａ１、６３ａ２  デコードユニット
４３  ＣＰＵ
４５、６８  メモリ
４６  蓄積部
４８  入力部
４９  表示ユニット
５１  識別コード・ＷＭコード・認識パターンＤＢ
５２  番組マスタファイル
５３  番組内コンテンツモニタリングＤＢ
５４  ＣＭ内コンテンツモニタリングＤＢ
５５  視聴／聴取率ファイル
５６  蓄積・再生情報ファイル
５７、７７  バス
６０ａ１、６０ａ２  チューニング・デコード部
６４  出力装置
６５  蓄積部
６６  入力部
６７  コントローラ
７５  視聴／聴取率データファイル
７６  蓄積・再生情報ファイル
ＡＤ  広告代理店
Ｃ  コンテンツホルダ
Ｕ  視聴者
Ｍ  モニタ世帯
Ｐ１〜Ｐ３  プログラム
【図１】
0004649053.tif 000002
【図２】
0004649053.tif 000003
【図３】
0004649053.tif 000004
【図４】
0004649053.tif 000005
【図５】
0004649053.tif 000006
【図６】
0004649053.tif 000007
【図７】
0004649053.tif 000008
【図８】
0004649053.tif 000009
【図９】
0004649053.tif 000010
【図１０】
0004649053.tif 000011
【図１１】
0004649053.tif 000012
【図１２】
0004649053.tif 000013
【図１３】
0004649053.tif 000014
【図１４】
0004649053.tif 000015
【図１５】
0004649053.tif 000016
【図１６】
0004649053.tif 000017
【図１７】
0004649053.tif 000018
【図１８】
0004649053.tif 000019
【図１９】
0004649053.tif 000020
【図２０】
0004649053.tif 000021